Podtech/llm-jp-corpus-v4-ja_patent huggingface dataset:
(57)【要約】      （修正有）【課題】物品が移動したり、ギフトとしての美観悪化を防ぐことができるギフトボックス用化粧台紙を提供する。【解決手段】ギフトボックスの化粧台紙として使用する木製またはアクリル製の板１に、物品３がぴったりと納まる形状の穴２をあけ、さらに物品よりも数ミリ程度小さいサイズの形状の穴をあけたスポンジを、穴の部分が合うように板の裏側に組み合わせることで、物品がぴったり納まり、さらに数ミリ程度突起したスポンジ部分４で物品を抑えることで、傾いても物品が外れないようになる。【選択図】図２
0003226078.tif 000002
【実用新案登録請求の範囲】
【請求項１】
ギフトボックスの化粧台紙として使用する木製またはアクリル製の板に、物品がぴったりと納まる形状の穴をあけ、さらに物品よりも数ミリ程度小さいサイズの形状の穴をあけたウレタンフォーム（スポンジ）を、穴の部分が合うように板の裏側に組み合わせることで、物品がぴったりお納まり、さらに数ミリ程度突起したスポンジ部分で物品を抑えることで、傾いても物品が外れないようになるギフトボックス用化粧台紙
【考案の詳細な説明】
【技術分野】
【０００１】      本考案は、個別の仕様を施したギフトボックス内の化粧台紙に関するものである。
【背景技術】
【０００２】ギフトボックス内の化粧台紙は通常ダンボールや厚紙から作るため、抜き型の製作が必要であり、数百から数千の製造ロットとなる。
そのため、例えば「実物大の赤ちゃんの手形プレート」など、個々の大きさが違う物品がぴったりと納まる化粧台紙を個別に製造することは困難である。
【考案の概要】
【考案が解決しようとする課題】
【０００３】例えば「実物大の赤ちゃんの手形プレート」など、個々のサイズが異なる物品をプレゼントする場合、短冊状の紙やプチプチ梱包材などが入ったギフトボックスを用意するしか方法がなく、物品がギフトボックス内で移動したり、ギフトとしての美観が良くないなどの問題があった。
本考案は、以上のような欠点を解決するためになされたものである。
【課題を解決するための手段】
【０００４】木製の板に「実物大の赤ちゃんの手形プレート」などの物品がぴったりと納まる形状の穴を空け、ギフトボックスの中台紙としてセットする。さらに、物品より数ミリ程度小さい形状の穴を開けたウレタンフォーム（スポンジ）に物品をはめ込んで固定することで、ギフトボックスの中で物品が移動することを防ぐ。
【考案の効果】
【０００５】物品がギフトボックス内で移動したり、ギフトとしての美観悪化を防ぐことができる。
【図面の簡単な説明】
【０００６】
【図１】本考案の実施例を示す正面図である。
【図２】本考案の実施例を示す断面図である。
【考案を実施するための形態】
【０００７】例えば「実物大の赤ちゃんの手形プレート」など、個々のサイズの異なる物品のサイズデータをもとに、木製の板に物品がぴったりと納まる形状の穴をあける。次に、物品のサイズと比較し数ミリ程度小さいサイズの穴をウレタンフォーム（スポンジ）にあける。板とウレタンフォーム（スポンジ）を、穴の部分を合わせて接着し、ギフトボックスの台紙としてセットする。穴の部分に、該当の物品を穴にはめ込むことで、ギフトとして使用する。
【実施例】
【０００８】木製やアクリル製の板（１）に、物品にぴったりとサイズの合った穴（２）を空け、物品（３）を物品と比較し数ミリ程度小さい穴をあけたウレタンフォーム（スポンジ）（４）にはめ込むことで、ギフトとして使用する。
【符号の説明】
【０００９】（１）  木製またはアクリル製の板
（２）  物品とぴったりとサイズの合った穴
（３）  該当の物品
（４）  ウレタンフォーム（スポンジ）
（５）  ギフトボックス底面
【図１】
0003226078.tif 000003
【図２】
0003226078.tif 000004
【手続補正書】
【提出日】令和2年2月10日(2020.2.10)
【手続補正１】
【補正対象書類名】実用新案登録請求の範囲
【補正対象項目名】全文
【補正方法】変更
【補正の内容】
【実用新案登録請求の範囲】
【請求項１】
ギフトボックスの化粧台紙として使用する木製またはアクリル製の板に、物品がぴったりと納まる形状の穴をあけ、さらに物品よりも数ミリ程度小さいサイズの形状の穴をあけたスポンジを、穴の部分が合うように板の裏側に組み合わせることで、物品がぴったりお納まり、さらに数ミリ程度突起したスポンジ部分で物品を抑えることで、傾いても物品が外れないようになるギフトボックス用化粧台紙。
【手続補正２】
【補正対象書類名】明細書
【補正対象項目名】全文
【補正方法】変更
【補正の内容】
【考案の詳細な説明】
【技術分野】
【０００１】      本考案は、個別の仕様を施したギフトボックス内の化粧台紙に関するものである。
【背景技術】
【０００２】ギフトボックス内の化粧台紙は通常ダンボールや厚紙から作るため、抜き型の製作が必要であり、数百から数千の製造ロットとなる。
そのため、例えば「実物大の赤ちゃんの手形プレート」など、個々の大きさが違う物品がぴったりと納まる化粧台紙を個別に製造することは困難である。
【考案の概要】
【考案が解決しようとする課題】
【０００３】例えば「実物大の赤ちゃんの手形プレート」など、個々のサイズが異なる物品をプレゼントする場合、短冊状の紙やプチプチ梱包材などが入ったギフトボックスを用意するしか方法がなく、物品がギフトボックス内で移動したり、ギフトとしての美観が良くないなどの問題があった。
本考案は、以上のような欠点を解決するためになされたものである。
【課題を解決するための手段】
【０００４】木製の板に「実物大の赤ちゃんの手形プレート」などの物品がぴったりと納まる形状の穴を空け、ギフトボックスの中台紙としてセットする。さらに、物品より数ミリ程度小さい形状の穴を開けたスポンジに物品をはめ込んで固定することで、ギフトボックスの中で物品が移動することを防ぐ。
【考案の効果】
【０００５】物品がギフトボックス内で移動したり、ギフトとしての美観悪化を防ぐことができる。
【図面の簡単な説明】
【０００６】
【図１】本考案の実施例を示す正面図である。
【図２】本考案の実施例を示す断面図である。
【考案を実施するための形態】
【０００７】    例えば「実物大の赤ちゃんの手形プレート」など、個々のサイズの異なる物品のサイズデータをもとに、木製の板に物品がぴったりと納まる形状の穴をあける。次に、物品のサイズと比較し数ミリ程度小さいサイズの穴をスポンジにあける。板とスポンジを、穴の部分を合わせて接着し、ギフトボックスの台紙としてセットする。穴の部分に、該当の物品を穴にはめ込むことで、ギフトとして使用する。
【実施例】
【０００８】木製やアクリル製の板（１）に、物品にぴったりとサイズの合った穴（２）を空け、物品（３）を物品と比較し数ミリ程度小さい穴をあけたスポンジ（４）にはめ込むことで、ギフトとして使用する。
【符号の説明】
【０００９】  （１）木製またはアクリル製の板
（２）物品とぴったりとサイズの合った穴
（３）該当の物品
（４）スポンジ
（５）ギフトボックス底面
(57)【要約】      （修正有）【課題】トイレ等の狭い場所でも利用可能な、移動用介護椅子を提供する。【解決手段】木造の介護椅子本体１とキャスター２からなる移動用介護椅子であって、介護椅子本体１の脚部全箇所に、進行方向自在の回転軸を持つキャスター２を取り付け、全方位に移動を可能とした。【選択図】図１
0003226074.tif 000002
【実用新案登録請求の範囲】
【請求項１】
一般の車椅子や介護用車椅子よりも小型で、木造の介護椅子本体（１）。
【請求項２】
同本体（１）の脚部全箇所に、進行方向自在の回転軸を持つ、これ又小型の車輪、キャスター（２）を各取り付け、全方位に移動を可能とした、移動用介護椅子。
【考案の詳細な説明】
【技術分野】
【０００１】  この考案は、高齢化社会での介護支援具であり、歩行困難な障害者の移動手段となる介護用車椅子に替わる物として、木造により小型化し、本体脚部四箇所全てに、小型キャスターを装備した、一般家庭でのトイレ等狭い場所での出入り使用や、部屋から部屋への移動その他での取り回しを容易に出来るようにした、室内移動用介護椅子に関するものである。
【背景技術】
【０００２】  従来は、介護用車椅子に替わる本考案の様な、一般家庭での室内移動を専用とした、小型木造で全キャスター装備の、室内移動用介護椅子は無かった。
【考案の概要】
【考案が解決しようとする課題】
【０００３】  在宅介護、老々介護が一般化する高齢社会にあって、自らは歩行が困難で介護を必要とする障害者等の家庭内での移動には、介護用車椅子なる物が必須であるが、これらは一般的に通常の車椅子に準じた大きさがあって、それに加えて前後２個づつある車輪のうちの後輪の２個は、子供用自転車の車輪と同様の大きさで、しかも、前後方向のみの固定走行で、左右方向へは横車となって動けない構造となっており、被介護者を乗せての使用時には、方向転換等機微に亙る取り回しに、不便と体力を要する不具合に見舞われることとなり、特に、毎日何回となく使用するトイレに至っては、一般的家庭では狭い所が多く、乗せたまま中に入れない、入れても中で動きがとれないなど、一番大変なところで使えない不便を生じることになる。
そんな場合介護者は、目的場所の直前で被介護者を車椅子から降ろし、そこから目的場所の中までは自らが抱きかかえて移動するなど、僅か１〜２メートルの距離であっても、非常に困難と危険を伴うことになり、そのサイズ、車輪の構造等から、不都合と、使用に限界があるなどの問題点があった。
本考案は、以上のような欠点を無くすためになされたものである。
【課題を解決するための手段】
【０００４】  小型で木造の介護椅子本体（１）の脚部４箇所に、進行方向自在の回転軸を持つ小型の車輪、キャスター（２）を各取り付ける。
本考案は、以上の構成によりなる、小型で木造の室内移動用介護椅子である。
【考案の効果】
【０００５】  一般の車椅子や介護用車椅子に比べて、ほぼ全体のサイズが小さく、加えて本体脚部に装備の前後２個づつの小型キャスターは、４個共全てが、本体が押された方向に一斉に進行方向が揃う、全方向移動構造となっていることから、その場において、介護椅子の座面を中心にストレスなく３６０度回転可能であり、且つ、回転の有無に拘わらず、一々車体を持ち上げて方向転換するなどの必要はなく、その体勢のままどの方向へも移動することが可能となるので、本体のコンパクトな分と、車輪の構造とで相俟ってトイレ等の狭い中での取り回しも比較的容易になり、在宅介護に当たる人の苦労軽減に少なからず役立つものと思われる。
【図面の簡単な説明】
【０００６】
【図１】  小型木造介護椅子本体の正面図である。
【図２】  小型木造介護椅子本体の右側面図である。
【考案を実施するための形態】
【０００７】  以下、本考案の実施の形態について説明する。
介護用の椅子となる、箱状で小型、木造の本体（１）の脚部前後二箇所づつの計四箇所に小型のキャスター（２）を各取り付け、背部に手押し用の板と握り棒を取り付ける。
本考案は、以上のような構造である。
本考案の介護椅子の使用には、これの特性である、僅かな力で滑らかな走行と、狭所での容易な方向転換等の良好な取り回しを確保するため、段差のない、硬質床材のある室内での移動を専用とし、これにより、増加傾向にある在宅介護の日常の生活において、かかわる多くの人の受ける重圧も少なからず軽減される。
【符号の説明】
【０００８】１  小型木造介護椅子の本体
２  小型木造介護椅子の脚部に取り付けられた小型キャスター
【図１】
0003226074.tif 000003
【図２】
0003226074.tif 000004
【手続補正書】
【提出日】令和1年12月12日(2019.12.12)
【手続補正１】
【補正対象書類名】実用新案登録請求の範囲
【補正対象項目名】請求項１
【補正方法】変更
【補正の内容】
【請求項１】
木造の介護椅子本体（１）とキャスター（２）からなる移動用介護椅子であって、前記本体（１）の脚部全箇所に、進行方向自在の回転軸を持つキャスター（２）を取り付け、全方位に移動を可能としたことを特徴とする移動用介護椅子。
【手続補正書】
【提出日】令和2年2月7日(2020.2.7)
【手続補正１】
【補正対象書類名】実用新案登録請求の範囲
【補正対象項目名】全文
【補正方法】変更
【補正の内容】
【実用新案登録請求の範囲】
【請求項１】
木造の介護椅子本体（１）とキャスター（２）からなる移動用介護椅子であって、前記本体（１）の脚部全箇所に、進行方向自在の回転軸を持つキャスター（２）を取り付け、全方位に移動を可能としたことを特徴とする移動用介護椅子。
(57)【要約】      （修正有）【課題】津波・洪水が予想される地域でも、建設が可能なピラミッド型建築構造物を提供する。【解決手段】津波の破壊力は凄まじく、防波堤も破壊するので、受け止めるのではなく、「いなす」「かわす」「からみ」という発想を入れ、壁面が強固な斜面に覆われた多角錘型、あるいはピラミッド型建築構造物として、波の圧力を減衰させる。【選択図】図３
0003226031.tif 000002
【実用新案登録請求の範囲】
【請求項１】
津波や洪水の予想される地域で、建築物の形状をピラミッド形状にすることでビル建設を可能にする。
【請求項２】
津波や洪水にたいして対抗するのではなく、受け流す、「からみ」という発想を組み合わせることができ、多数組み合わせることで津波被害減少の効果が高まる形状である。
【請求項３】
壁面の斜面は強固にすることによって、津波や洪水によって流されにくいが、逆に水流が発生する。そのためにガラス窓は強固にして緊急自動シャッターを設備などを組み合わせることで大きな窓の設置が可能になる構造である。
【請求項４】
津波予想以上の高さのピラミッド形状の建物を作り、尖塔部が水没しないようにする必要があるが、その分土台になる土地を広くとることで高い建物の建設が可能になる形状である。
【請求項５】
ピラミッド形状建築物が多数あっても、上部が尖塔状になり、空が広く見渡せるため景観的にも良好な形状のものとなる。
【請求項６】
津波や洪水によって基本的に破壊されにくい形状なので、避難所としても利用できる構造となる。
【考案の詳細な説明】
【技術分野】
【０００１】      本考案は、津波・洪水対策建築物及び建築物群の形状に関するものである。
【背景技術】
【０００２】      津波・洪水対策には「からみ」という手法があって、防波堤のように対抗するのではなく水流を杭と杭を紐で結んだ細工の中に引き入れて、減速・減圧させることによって砂を沈殿させる手法やピラミッドの形状などで建物を守ることができる思考と構造を組み合わせたものである。
【先行技術文献】
【特許文献】
【０００３】
【特許文献１】特開２０１２−２１９６０６  津波対策建築物及び構造物    この特許は、建築物を鋭角な角を作り津波の圧力抵抗を低減させようとするものである。これは圧力方向が一定であることを想定している。
本考案は、津波・洪水に対抗するのではなく、「からみ」という思考を入れて建物あるいは建物だけでなく建物群一帯に津波を引き入れて渦を生じさせて減速させるものであり、同時にピラミッドの形状の建築物で建築物の破壊や流出を防ぐ建物と地域を作る組み合わせの構造である。
【考案の概要】
【考案が解決しようとする課題】
【０００４】    津波・洪水被害予想地域の建物建設や土地利用に困難をきたしている中で、津波・洪水の被害を最小限にとどめる安全性の高い建築物の形状と新しい街づくりの提案。
【課題を解決するための手段】
【０００５】    請求項１、
津波・洪水の予想される地域で建築物の形状をピラミッド状にして高いビルの建設を可能にして、同時に被害を最小限にする構造。
請求項２、
津波や洪水に対抗するのではなく、受け流す、からみという発想を入れ、複数建設することによって効果を高めることができ、さらに建築物群の位置方向を角の方向をさまざま変えることを組み合わせることによって、地域一帯で津波・洪水の被害を軽減することができる形状。
請求項３、
壁面の斜面は強固にすることによって、津波や洪水によって破壊され、流されることなく、上から下へ押し付けられる力を回避するために窓ガラスは、強固にして自動シャッターなどを斜面である壁面に設備することで大きな窓の設置も可能になる構造である。
請求項４
津波予想より高いピラミッド形状の建物を作り尖塔部が水没しないようにする必要がある。その分土地を広くとることで高い建物の建設が可能になる構造である。
請求項５
ピラミッド形状の建物群があっても尖塔形状のために空が広く見渡せるために景観上も良好になりまちづくりとしても威圧感の無い良好なものとなる形状である。
請求項６
ピラミッド形状は津波や洪水でも破壊されにくいので避難所としても利用できる形状である。
【考案の効果】
【０００６】    津波・洪水被害予想地域に建築物が可能になり、土地利用の用途が広がる。
【図面の簡単な説明】
【０００７】
【図１】請求項１の説明図
【図２】請求項２の説明図
【図３】請求項３の説明図
【図１】
0003226031.tif 000003
【図２】
0003226031.tif 000004
【図３】
0003226031.tif 000005
【手続補正書】
【提出日】令和1年12月2日(2019.12.2)
【手続補正１】
【補正対象書類名】実用新案登録請求の範囲
【補正対象項目名】全文
【補正方法】変更
【補正の内容】
【実用新案登録請求の範囲】
【請求項１】
津波に強いピラミッド形状構造物
【手続補正２】
【補正対象書類名】明細書
【補正対象項目名】全文
【補正方法】変更
【補正の内容】
【考案の詳細な説明】
【技術分野】
【０００１】          本考案は、津波が予想される地域でピラミッド形状（四角錘）にして建築を可能とするものである。
【背景技術】
【０００２】          津波・洪水対策には「からみ」という手法があって、防波堤のように対抗するのではなく、引き入れて減速・減圧させることによって砂を沈殿させる発想を利用して構造物を守る。
【先行技術文献】
【特許文献】
【０００３】
【特許文献１】特開２０１２−２１９６０６  津波対策建築物及び構造物        この特許は、建築物を鋭角な角を作り津波の圧力抵抗を低減させようとするものである。これは圧力方向が一定であることを想定している。
【考案の概要】
【考案が解決しようとする課題】
【０００４】        津波・洪水被害予想地域で建物建設や土地利用に困難をきたしている中で減災効果の高い形状の建築物である。
【課題を解決するための手段】
【０００５】        ピラミッド型（四角錘）の形状で、斜面となる壁面を牢固なものとすると同時に、重量を大きくする。接地面土台を牢固で深く設置し、津波予想高さを超える高さにすることで水没を回避し浸水防止対策を行う。
【考案の効果】
【０００６】        津波被害予想地域に避難所を含めた建築物・構造物建設が可能になり、土地利用の用途が広がる。
【図面の簡単な説明】
【０００７】
【図１】請求項１の説明図
【図２】請求項１の説明図
【図３】請求項１の説明図
【手続補正書】
【提出日】令和2年1月31日(2020.1.31)
【手続補正１】
【補正対象書類名】実用新案登録請求の範囲
【補正対象項目名】全文
【補正方法】変更
【補正の内容】
【実用新案登録請求の範囲】
【請求項１】
津波の破壊力は凄まじく、防波堤も破壊するので、受け止めるのではなく、「いなす」「かわす」「からみ」という発想を入れ、壁面が強固な斜面に覆われた多角錘型、あるいはピラミッド型建築構造物。
(57)【要約】      （修正有）【課題】安全性と容易な着脱性を両立させる円盤型回転刃のカバーを提供する。【解決手段】円盤型回転刃２のカバーは、円盤型回転刃の刃の外周より少し大きめの上部開口部３と、円盤型回転刃の外周より少し小さ目の下部開口部４と、カバー本体１の一部に切れ目を設け、カバー着脱時に上部下部開口部３、４を広げたり締めたりする事が可能な、弾性体部材で構成されている。【選択図】図１
0003226711.tif 000002
【実用新案登録請求の範囲】
【請求項１】
円盤型回転刃の 刃のカバーにおいて、カバー本体は円盤型回転刃の直径より少し大き目に設けた上部開口部と、円盤型回転刃の直径より少し小さ目に設けた下部開口部と、両開口部の大きさを調整するための外側から内側にかけての一部の切れ目とからなる円盤型回転刃のカバー。
【考案の詳細な説明】
【技術分野】
【０００１】
本考案は円盤型回転刃のカバーにおいて着脱を要因にすることで、怪我の防止、刃先の保護、運搬時の安全の確保に関するものである。
【背景技術】
【０００２】
円盤型回転刃のカバーは、販売時にはビニールチューブ製や薄いプラスチック製等の簡易的な物が多かった。
【先行技術文献】
【特許文献】
【０００３】
【特許文献１】実開昭５７−２３１４３号公報
【考案の概要】
【考案が解決しようとする課題】
【０００４】
しかしながら、円盤型回転刃のカバーは、安価な素材のため安全性に問題があったり、構造上着脱しにくいという点で未だ改善の余地があった。
【０００５】
本考案は安全性と着脱のしやすさを目的とする。
【課題を解決するための手段】
【０００６】
上記目的を達成するために、本考案の刃のカバーは、円盤型回転刃の刃の外周より少し大きめの上部開口部と、円盤型回転刃の外周より少し小さ目の下部開口部と、カバー本体の一部に切れ目を設け、カバー着脱時に上下開口部を広げたり締めたりする事が可能な、弾性体部材で構成されている。
【考案の効果】
【０００７】
上記の様により、安全性と容易な着脱性を両立させる事が出来る。
【図面の簡単な説明】
【０００８】
【図１】本考案のカバーを装着し開口部を締めた状態の断面図である。
【図２】本考案のカバーを装着し開口部を広げた状態の断面図である。
【図３】本考案のカバーにロック機構5を設けロックした状態を上から見た図である。
【図４】本考案のカバーにロック機構5を設けロックを解除した状態を上から見た図である。
【図５】本考案のカバーを動力回転刃式草刈り機に装着した状態の斜視図である。
【図６】本考案のカバー本体の断面図である。
【考案を実施するための形態】
【０００９】
次に本考案の実施形態を図面に基づいて説明する。
【００１０】
以下、添付図面に従って一実施例を説明する。
1は耐久性のプラスチック等適合素材にて一体化成型されたカバー本体に円盤型回転刃2を挿入しやすくするために円盤型回転刃直径より少し大きめの直径の上部開口部3、さらに該円盤型回転刃を保持するために円盤型回転刃直径より少し小さめの直径の下部開口部4と、カバー本体の上下開口部の直径の調整のために設けられた切れ目7と、該切れ目の両端部に設けられたロック機構5により装着時にはロックする事により脱落を防止する事ができる。
以上の機構により、円盤型回転刃を有する動力式草刈り機などにおいて、危険性の高い刃に容易にカバーを装着する事ができ、運搬時の安全性及び刃の保護に貢献できる。
【符号の説明】
【００１１】
１  カバー本体
２  円盤型回転刃
３  上部開口部
４  下部開口部
５  ロック機構
６  動力回転式草刈り機
７  直径調整用切れめ部
【図１】
0003226711.tif 000003
【図２】
0003226711.tif 000004
【図３】
0003226711.tif 000005
【図４】
0003226711.tif 000006
【図５】
0003226711.tif 000007
【図６】
0003226711.tif 000008
(57)【要約】      （修正有）【課題】災害現場で、そのまま空のタンクと直接交換でき、短時間で燃料の補給ができる耐衝撃構造ワンタッチプラグ内蔵液体タンクキャップを提供する。【解決手段】液体タンクキャップそのものにワンタッチプラグ２を内蔵し、その外側にワンタッチプラグを落下衝撃から守るガード部分３を設けることで、輸送安全基準衝撃テストに耐えられる強度をもたせ、輸送時の状態のままでワンタッチプラグの装着ができるようにした。【選択図】図１
0003226772.tif 000002
【実用新案登録請求の範囲】
【請求項１】
液体タンクキャップそのものに、ワンタッチプラグを内蔵し、かつ輸送安全基準衝撃テストに耐えられる強度をもたせた構造の、耐衝撃構造のワンタッチプラグ内蔵液体タンクキャップ。
【考案の詳細な説明】
【技術分野】
【０００１】液体の輸送タンクなどの輸送機器に関する分野です。
【背景技術】
【０００２】  最近は自然災害の規模が大きくなり、停電なども増え非常用発電機の需要が増えています。実際の災害などで通信機器の中継所などが停電になると、広範囲のユーザーに害が及ぶため、代替え電源として、ガソリン発電機などが利用されます。その際、移動型の発電機ではガソリン容量が限られ、発電がすぐに止まってしまいます。一般的には別のガソリンタンクなどに詰めて運ぶのですが、ガソリンなどは消防法などでもいろいろな規制があり、ＵＮ認証などの消防法適合容器でなければ、車などで運ぶことができません。【０００３】  また、容器を運んでもタンクに給油するためには、通常は発電機を止める必要があります。そのため、発電機を止めなくても交換できるようなワンタッチの配管接続機構が採用されています。しかしながら、消防法などの認定は落下テストなどの厳しい試験があり、普通のキャップに取り付けたようなワンタッチプラグでは強度がたりず、そのまま輸送ができず、現場についてからキャップの交換をする必要がありました。
【考案の概要】
【考案が解決しようとする課題】
【０００４】  災害時の現場では短時間で作業をこなす必要もあり、できれば簡単にガソリンタンクなどを交換したいのですが、消防法などの安全法規を遵守すれば、どうしても同じタンクのままで輸送時と稼働時を、同様の条件では使えないという問題がありました。
【課題を解決するための手段】
【０００５】  そこで消防法より厳しい試験のあるＵＮ認証を対象に、試験に耐えられる構造のキャップを開発することにしました。キャップそのものを落下試験などの衝撃に耐えられる構造にして、その内部にワンタッチプラグを内蔵することで、輸送時の状態のままでワンタッチプラグの装着ができるようにしました。
【考案の効果】
【０００６】  このＵＮ認証適合キャップを使うことで、トラックなどで大量輸送でき、災害現場などでは、そのまま空のタンクなどと直接交換できるようになりました。そのため短時間で燃料などの補給ができ、発電機を止める必要もなくなりました。キャップの開け閉めが無いためガソリンの気化ガスが漏れる心配もないため、より安全な作業ができるようになりました。
【図面の簡単な説明】
【０００７】
【図１】耐衝撃構造のワンタッチプラグ内蔵液体タンクキャップ外観図
【産業上の利用可能性】
【０００８】  実際の災害時に本考案のキャップを使うと、多くのタンクをそのままトラックなどに積んで輸送ができ、かつ到着時にはそのまま発電機を止めること無く、簡単にタンクを交換することができる。特に降雨時などには非常に便利なものであり、将来的には携帯用、非常用発電機の必需品として利用されることが期待されます。
【符号の説明】
【０００９】    ▲１▼  キャップを締める場合に指をかける場所
▲２▼  標準ワンタッチプラグ
▲３▼  ワンタッチプラグを落下衝撃から守るガード部分
【図１】
0003226772.tif 000003
【手続補正書】
【提出日】令和2年3月7日(2020.3.7)
【手続補正１】
【補正対象書類名】実用新案登録請求の範囲
【補正対象項目名】全文
【補正方法】変更
【補正の内容】
【実用新案登録請求の範囲】
【請求項１】
液体タンクキャップそのものにワンタッチプラグを内蔵し、その外側にワンタッチプラグを落下衝撃から守るガード部分を設けることで、輸送安全基準衝撃テストに耐えられる強度をもたせた構造の、耐衝撃構造ワンタッチプラグ内蔵液体タンクキャップ。
(57)【要約】      （修正有）【課題】カラスによる生ごみの散乱被害を防止できる、安価で場所を取らない重り付きのポリバケツを提供する。【解決手段】安価なポリバケツを逆さまにして、その接地部分に重りを付けることによってカラスから生ごみ散乱の被害を防ぐ。バケツの取手を通常バケツの反対側に付けることによって使用しやすくなる。【選択図】図１
0003226773.tif 000002
【実用新案登録請求の範囲】
【請求項１】
カラス被害防止用かぶせる重り付きポリバケツ
【請求項２】
請求項１の上部に取手をつけ変えた生ごみのゴミ袋にかぶせるポリバケツ
【考案の詳細な説明】
【技術分野】
【０００１】    一般家庭で個別収集生ごみのカラスによる散乱被害があるが、現状では、頑丈な鉄製のゴミ箱などが設置される場合があるが、高価で場所も取る。
通常のポリバケツなどでは蓋をして重りをのせてもカラスはそれを落として、バケツを転がして生ごみをあさり散乱させるためそれを解決する必要がある。
【背景技術】
【０００２】  ポリバケツを逆さまにして生ごみにかぶせて重りをのせても、カラスは重りを押し倒し、ポリバケツを押し倒して、ごみを散乱させる。逆さ状のポリバケツの重心の低いところに重りを付けることで押し倒すのを防ぐことができる。そのため通常のバケツを逆さまにして、持ちやすいように取手を通常バケツの底に近い部分に付ける。
【考案の概要】
【考案が解決しようとする課題】    ［戸別収集の生ごみの袋をカラスが散乱させるのを防ぐコンパクトで安価な入れ物が必要である］
【課題を解決するための手段】    ［生ごみ袋に重りがついたバケツをかぶせることによってカラスによるごみの散乱を防ぐことができるが重りの重心を最下部にすると効果的である］
【考案の効果】    ［カラスがバケツを倒しにくくなるのでゴミを散乱させる被害を防ぐことができる］
【図面の簡単な説明】    ［カラス被害防止用のかぶせる重り付きポリバケツ］
【図１】
【図２】
【図３】
【図１】
0003226773.tif 000003
【図２】
0003226773.tif 000004
【図３】
0003226773.tif 000005
【手続補正書】
【提出日】令和2年2月26日(2020.2.26)
【手続補正１】
【補正対象書類名】実用新案登録請求の範囲
【補正対象項目名】全文
【補正方法】変更
【補正の内容】
【実用新案登録請求の範囲】
【請求項１】
カラス被害防止重り付きのゴミにかぶせるポリバケツ
【請求項２】
請求項１に記載のポリバケツの上部に取手をつけ変えた、生ごみのゴミ袋にかぶせるポリバケツ
【手続補正２】
【補正対象書類名】明細書
【補正対象項目名】全文
【補正方法】変更
【補正の内容】
【考案の詳細な説明】
【技術分野】
【０００１】    一般家庭で普及していて安価なポリバケツに重りを付け、持ちやすいように取手を付けるという簡易な考案であるが、安価であり、簡易であることで画期的でもある。
【背景技術】
【０００２】戸別回収のゴミを出す場合には、カラスなどの標的になり現状では、大きく頑丈なゴミ箱などを敷地内公道に面して出すことになるが、現状では頑丈で、大きくて見栄えもよくない。そこで、少人数家庭でも安心してごみを出すことができるように安価なポリバケツを利用して、逆さにしてゴミにかぶせ、重りを下部分に付けることでカラスが押し倒すのを防ぐことができる。さらに取手を付けることで使いやすいものになる。
【考案の概要】
【考案が解決しようとする課題】    戸別収集の生ごみの袋をカラスが散乱させるのを防ぐコンパクトで安価な入れ物が必要である
【課題を解決するための手段】    生ごみ袋に、下部に重りがついたバケツをかぶせることによってカラスによるごみの散乱を防ぐことができる
【考案の効果】    カラスがバケツを倒しにくくなるのでゴミを散乱させる被害を防ぐことができる
【図面の簡単な説明】    カラス被害防止用のかぶせる重り付きポリバケツ【図１】製品の完成図。ポリバケツを逆さまにして、取手をポリバケツの底部へ付け替えた図
【図２】ポリバケツを逆さにして、取手を付け替えた図。
【図３】逆さにしたポリバケツの下部に付ける重りの形の図。
【手続補正３】
【補正対象書類名】図面
【補正対象項目名】全図
【補正方法】変更
【補正の内容】
【図１】
0003226773.tif 000006
【図２】
0003226773.tif 000007
【図３】
0003226773.tif 000008
(57)【要約】      （修正有）【課題】水分吸着能力を付加して、潤滑油の油中水分を吸着濾過して潤滑油を低コストで継続使用可能にする後付けタイプのフィルターエレメントを提供する。【解決手段】既存の円筒形のフィルターエレメント１の濾過面１次側全面を厚み１ミリから５ミリ程度のシート状の親水性に優れた能力を持つ不織布で覆うことができるように、覆う対象となるフィルターエレメント１の寸法に適合させてその不織布を長方形に裁断し円筒形に縫製または接着して覆い被せ固定し、濾過対象となる工業用潤滑油が覆い被せた不織布フィルターエレメント２の１次側より２次側に通過する際に潤滑油中の水分を吸着濾過する。【選択図】図１
0003226771.tif 000002
【実用新案登録請求の範囲】
【請求項１】
市販されているフィルターエレメントの濾過表面積を形状に合わせて裁断・縫製・または裁断・接着ないし固定して覆い親水性繊維の持つ油中水分吸着能力を既存フィルターに付加するフィルターエレメント
【考案の詳細な説明】
【技術分野】
【０００１】  本考案は、工業用潤滑油の濾過に使われるフィルターエレメントの水分除去能力をさらに付加して、潤滑油の寿命を延長せしめ、廃油の減少と廃フィルターエレメントの減少に寄与するものである。
【背景技術】
【０００２】  従来の工業用潤滑油から水分を吸着濾過できるフィルターエレメントは、内蔵するフィルターエレメントの水分吸着能力を超えると、対象油の含有水分を吸着できなくなり、新しいフィルターエレメントに交換するしか継続して水分を吸着濾過する方法はなかった。また固形夾雑物除去を目的としたフィルターエレメントに、後から必要に応じて水分除去能力を付加するフィルターエレメントを取り付けることは製品化されたこともなく行われていなかった。
【考案の概要】
【考案が解決しようとする課題】
【０００３】  潤滑油装置に多量に水分が混入するトラブルが発生した場合、従来までは新油交換を何度も行うか水分除去能力がなくなった既存フィルターエレメントを何度も交換し続けるしか方法はなかった。本考案は使用しているフィルターエレメントに水分除去能力を付加し潤滑油中から水分を吸着除去して潤滑油の寿命延長を実現し、さらには既存フィルターエレメントの消耗量を減少するものである。
【課題を解決するための手段】
【０００４】  本考案は工業用潤滑油の濾過に使われているフィルターエレメントの形状に合わせて親水性不織布を裁断・縫製・または裁断・接着ないし固定して濾過表面積覆い、工業用潤滑油中の水分を吸着する能力を既存フィルターに付加するものである。従来使用しているフィルターエレメントの表面を覆う形で本フィルターエレメントを取り付けるため、差圧の著しい上昇少が心配されたが、ＶＧ４６の作動油を毎分３０リットル処理の濾過テストで差圧上昇は僅か０．０５メガパスカルで異常な差圧上昇も処理量の減少も認められなかった。また本フィルターエレメントを既存フィルターに覆うのは手作業となるためリークが発生することも考えて行ったテストでも不織布に大きな破損があったり、縫合部・接着部・固定部に目視確認で発見できる程度の大きな破損がない限り親水性の強い素材のため水分吸着性能に大きな影響を与えることもなく水分を除去することができた。
【考案の効果】
【０００５】  本考案では従来まで使用していたフィルターエレメントを利用して水分除去を行うため、フィルターケーシングの交換や交換に伴う配管工事は必要なく水分混入トラブルを素早く解決することができる。水分混入量多量が原因で新油交換していた潤滑油も、本フィルターエレメント使用による水分除去能力向上により、再使用が可能となり廃油を減少することができる。本考案に使用するフィルターエレメントの繊維は高含水ポリマーを繊維化した製品で放湿にも優れているため、吸着した水分を放湿する能力にも優れ、再乾燥させて再使用することができるのでフィルターエレメントの廃棄量を減少させさらに油中水分除去コストを下げることができる。
【図面の簡単な説明】
【０００６】
【図１】本考案のフィルターエレメントを既存フィルターに取り付けた斜視図である。
【図２】本考案のフィルターエレメントにより既存フィルター覆う直前の斜視図である。（図１・図２の符号の説明）
１．既存のフィルターエレメント
２．既存フィルター形状に合わせて裁断した本考案のフィルターエレメント
３．布地用両面接着テープ
４．耐油性ゴムバンド
【図１】
0003226771.tif 000003
【図２】
0003226771.tif 000004
【手続補正書】
【提出日】令和2年1月27日(2020.1.27)
【手続補正１】
【補正対象書類名】実用新案登録請求の範囲
【補正対象項目名】全文
【補正方法】変更
【補正の内容】
【実用新案登録請求の範囲】
【請求項１】
本実用新案は現在ユーザーが使用している円筒形のフィルターエレメントの濾過面１次側全面を親水性に優れた特徴を持つシート状の不織布を長さや太さの形状に合わせて裁断・縫製等の加工をして覆うタイプのフィルターエレメントに関する考案で、使用しているフィルターエレメントの形状およびそのハウジングや濾過装置全体の仕様や形状を全く変えずに水分吸着能力を付加することができるよう濾過対象となる潤滑油が覆い被せた不織布の親水性層を１次側より２次側へと通過する際に潤滑油中の水分を吸着濾過する使用フィルターエレメントに後付けするタイプのフィルターエレメントに関するものである。
【手続補正書】
【提出日】令和2年3月26日(2020.3.26)
【手続補正１】
【補正対象書類名】実用新案登録請求の範囲
【補正対象項目名】全文
【補正方法】変更
【補正の内容】
【実用新案登録請求の範囲】
【請求項１】
現在市販されている既存の円筒形のフィルターエレメントの濾過面１次側全面を厚み１ミリから５ミリ程度のシート状の親水性に優れた能力を持つ不織布で覆うことができるように、覆う対象となるフィルターエレメントの寸法に適合させてその不織布を長方形に裁断し円筒形に縫製または接着して覆い被せ固定し、濾過対象となる工業用潤滑油が覆い被せた不織布フィルターエレメントの１次側より２次側に通過する際に潤滑油中の水分を吸着濾過する後付けタイプのフィルターエレメント。
(57)【要約】      （修正有）【課題】保冷剤液を冷却する時間を短縮できる保冷剤の容器を提供する。【解決手段】アルミニウム等の熱伝導率が大きい材料で作った内函容器３をポリエチレン等の熱伝導率が小さい材料で作った外函容器２に収納した二重形状の保冷剤の容器であって、内函容器に保冷剤液４を入れて冷却した後、外函容器に収納する。【選択図】図１
0003226783.tif 000002
【実用新案登録請求の範囲】
【請求項１】
熱伝導率の値が大きい材質の材料で作った内函容器を熱伝導率が小さい材質の材料で作った外函容器に収納した二重形状の保冷剤の容器。
【考案の詳細な説明】
【技術分野】
【０００１】本考案は保冷剤の容器に関するものである。
【背景技術】
【０００２】従来の保冷剤の容器は材質がポリエチレンの一重形状の容器である。
【考案の概要】
【考案が解決しようとする課題】
【０００３】保冷剤の低温化速度を速くして低温体になるまでの時間を短縮したい。
又、放熱時の低温度持続時間を延長したい。
【課題を解決するための手段】
【０００４】熱伝導率の値が大きい材質で作った内函容器に保冷剤液を入れて冷蔵庫等で低温状態にしてその内函容器を熱伝導率の値が小さい材質で作った外函容器に収納して放熱させる。
【考案の効果】
【０００５】内函容器に入れた保冷剤液はその容器の熱伝導率に比例して低温化速度が速くなり短時間で低温体となる。又、放熱時は外函容器の熱伝導率に比例してゆっくり放熱しその分低温度持続時間が長くなる。
【図面の簡単な説明】
【０００６】’
【図１】  正面断面図
【図２】  側面断面図
【考案を実施するための形態】
【０００７】保冷剤液を熱伝導率の値が大きい材質で作った内函容器に入れ冷蔵庫等で低温化させる。
その後、その内函を熱伝導率の値が小さい材質で作った外函容器に収納して放熱させる。
【実施例】
【０００８】以下、本考案の一実施例について説明する。
図１は本考案の容器の正面断面図である。３の内函容器はアルミニウム製の立方体容器で内部に４の保冷剤液を密封しておく。２の外函容器はポリエチレン製の立方体容器で内函容器を収納する。保冷剤液を冷却する時は１の外函容器の蓋を開けて内函容器を取り出しそれを冷蔵庫等で冷却した後、再度外函容器に収納する。
【符号の説明】１      外函容器の蓋
２      外函容器
３      内函容器
４      保冷剤液
【図１】
0003226783.tif 000003
【図２】
0003226783.tif 000004
(57)【要約】      （修正有）【課題】水洗トイレのタンク内の劣化した部品に関係なく簡単に操作できる入水操作バルブを提供する。【解決手段】棒状のレバー２の先端部に、星形に加工した穴を設けた。【選択図】図１
0003226737.tif 000002
【実用新案登録請求の範囲】
【請求項１】
棒の先を星形にした穴を加工したレバーを特徴とした水洗トイレの入水操作バルブ。
【考案の詳細な説明】
【技術分野】
【０００１】  本考案は、水洗トイレに関するものである。
【背景技術】
【０００２】  水洗トイレが古くなるとタンク内の水漏れ等で、トイレ全部の取替えを要した。
【考案の開示】
【考案が解決しようとする課題】
【０００３】  水洗トイレのタンク内のストレーナー等が劣化して動作が不良となる。しかし、本考案の器具を使うことで前途の欠点を解決しようとするものである。
【課題を解決するための手段】
【０００４】  本考案は、トイレのタンクの入水バルブを簡単に操作することで、問題点を解決している。
【考案の効果】
【０００５】  上途のように、バルブを操作することでタンク内の劣化した部品に関係なく、長く水洗トイレを使用することに役立つ。
【考案を実施するための最良の形態】
【０００６】  タンク内に入水するバルブを手廻し形から、レバー操作形に取り替える。
【実施例】
【０００７】  以下、添付図面に従って実施例を説明する。１の、手廻し部分にレバーの回転部を差し込む。次に、２の、レバーの棒を左にたおし、タンク内の入水を操作することで、劣化した部品を切りはなされる。【０００８】  本考案の実施例は、上途の如き構成からなるもので水洗トイレ使用年数を長期間とすることで効果が上がる。
【図面の簡単な説明】
【０００９】
【図１】正面図
【図２】側面図
【図３】実施例図
【符号の説明】
【００１０】    １  レバーの取付部
２  レバーの棒
【図１】
0003226737.tif 000003
【図２】
0003226737.tif 000004
【図３】
0003226737.tif 000005
(57)【要約】      （修正有）【課題】トイレ室または便座への個別の暖房装置を不要にし、トイレ室内温度を自動的に適温に維持し、特に冬場の高齢者のトイレ利用には該便座とトイレ室内との温度差をなくし、脳溢血等を確実に予防するトイレ腰掛装置を提供する。【解決手段】便器の上に設置するトイレ腰掛装置は、後部本体１０１に便座と便蓋を開閉可能に連設し、後部本体内に暖房装置２００を設け、暖房装置に、温風吹き出し口と温風測温計とトイレ室内の測温計を設けると共にトイレ室内の目標温度設定器を設けた。また、トイレ室内の測温計と温風測温計の各測定温度と目標温度設定器に任意に設定した目標温度に基いて、トイレ室内の温度を目標温度に調節する制御器を設けた。【選択図】図１
0003226738.tif 000002
【実用新案登録請求の範囲】
【請求項１】
便器の上に設置するトイレ腰掛装置において、後部本体に便座と便蓋を開閉可能に連設し、前記後部本体内に暖房装置を設け、前記暖房装置は温風吹き出し口とその温風の測温計とトイレ室内の測温計を設けると共にトイレ室内の目標温度設定器とを設け、前記トイレ室内の測温計と前記温風測温計の各測定温度と前記目標温度設定器に任意に設定した目標温度に基いてトイレ室内の温度を前記目標温度に調節する制御器を設けたことを特徴とするトイレ腰掛装置。
【考案の詳細な説明】
【技術分野】
【０００１】  本考案は、トイレ室を暖かくするトイレ腰掛装置に関する。
【背景技術】
【０００２】  トイレ腰掛装置は、一般にウォーター洗浄装置を内蔵した本体に暖房便座と便蓋を連設し、暖房便座は内部にヒーター及び伝熱体からなる便座加熱手段を備え、便座のみを単に暖めるものである。
該暖房便座の構成は、使用者が着座する着座部材としての便座本体と便器に面する便座底板とから成る中空形状であり、便座本体の内面側にアルミシートが伝熱体として貼り付けられている。アルミシートの便座底板側にはニクロム線を発熱体とするヒーターが配置され、ヒーターの熱はアルミシートを介して便座本体に伝達される。また、アルミシートには開口部が設けられ、開口部の便座本体内側には便座温度検知手段が配置され、便座の温度を検知している。検知された温度に応じて通電制御手段がヒーターのＯＮ−ＯＦＦを制御している。【０００３】  前記暖房便座は、当該便座に利用者が着座すると自動的にヒーターをＯＮ制御して座り心地の良い所定の温度に維持されるが、離座すると自動的にヒーターをＯＦＦ制御するものが一般的であり、次の着座までの間冷たい状態に置かれる。このため特に冬場に高齢者は、着座の際、該暖房便座とトイレ室内との温度差が大きく暖まる迄に時間がかかり、その間寒くて夜中などは脳溢血等を起こしやすい危険性がある。
【考案の概要】
【考案が解決しようとする課題】
【０００４】  そこで、特に冬場の高齢者のトイレ利用には該暖房便座とトイレ室内との温度差の無い暖かいトイレ室にすることが重要である。
本考案は、トイレ室または便座への個別の暖房装置を不要にし、トイレ室内温度を自動的に適温に維持し、特に冬場の高齢者のトイレ利用には該便座とトイレ室内との温度差をなくし、脳溢血等を確実に予防するトイレ腰掛装置を提供する。
【課題を解決するための手段】
【０００５】  本考案は、前記課題を解決する技術的手段として次の（１）を特徴とするものである。
（１）、便器の上に設置するトイレ腰掛装置において、後部本体に便座と便蓋を開閉可能に連設し、前記後部本体内に暖房装置を設け、前記暖房装置は温風吹き出し口とその温風の測温計とトイレ室内の測温計を設けると共にトイレ室内の目標温度設定器とを設け、前記トイレ室内の測温計と前記温風測温計の各測定温度と前記目標温度設定器に任意に設定した目標温度に基いてトイレ室内の温度を前記目標温度に調節する制御器を設けたことを特徴とするトイレ腰掛装置。
【考案の効果】
【０００６】  このように構成された、本考案のトイレ腰掛装置は、トイレ室または便座への個別の暖房装置を不要にし、トイレ室内温度を自動的に適温に維持し、特に冬場の高齢者のトイレ利用には該便座とトイレ室内との温度差をなくし、脳溢血等を確実に予防するものである。
【図面の簡単な説明】
【０００７】
【図１】本考案の実施例を示す説明図である。
【図２】図１の要部拡大説明図である。
【考案を実施するための態様】
【０００８】  本考案の実施態様は、図１及び図２に示す実施例により詳細に説明する。
本例のトイレ腰掛装置は、ウォーター洗浄付便座装置１００であり、側部に操作盤３００と後部本体１０１の前部に便座１０２と便蓋１０３を開閉可能に連設してある。
前記後部本体１０１は、内部にウォーター洗浄機構１０４と暖房装置２００を設けてある。
前記暖房装置２００は、図２に拡大して示すように中空室内の内面側にアルミシート２１１が伝熱体として貼り付けられている。アルミシート２１１にはニクロム線を発熱体とするヒーター２１２が配置され、ヒーター２１２の熱はアルミシート２１１を介して中空室内に伝達され扇風機２１０により中空室後部から誘引され脱臭剤カートリッジ２１３を経た空気を加熱して前部の温風吹き出し口２０１からトイレ室３００内に送風される。温風吹き出し口２０１にはその温風の測温計２０２を配置し、トイレ室４００内には測温計２０３を設けると共にトイレ室内の目標温度設定器２０４と制御器２０５を設ける。
前記制御器２０５は、トイレ室３００内の測温計２０３と前記温風測温計２０２の各測定温度Ｔ１、Ｔ２と前記目標温度設定器２０４に設定した目標温度Ｔ０を導入し、これらに基いてヒーター２１２と扇風機２１０を制御して、トイレ室３００内の温度を前記目標温度Ｔ０に自動的に調節するものである。
この暖房装置２００は、ＯＮ−ＯＦＦスイッチ２０６を操作盤３００に設けて、夏場など不要の次期は制御器２０５をＯＦＦにしておけばよい。
また側部の操作装置３００は、一般にウォーター洗浄付便座装置１００のウォーター洗浄機構１０４のＯＮ−ＯＦＦ操作、噴水ノズル位置操作、水流調節等の一般公知の各種操作を可能にしてある。
【産業上の利用可能性】
【０００９】  本考案は、前記の優れた作用効果を呈するものであり、一般家庭のトイレへの寄与は勿論のこと、といれ業界等に貢献すること多大なものある。
【符号の説明】
【００１０】１００：ウォーター洗浄付便座装置
１０１：後部本体
１０２：便座
１０３：便蓋
１０４：ウォーター洗浄機構
２００：暖房装置
２０１：温風吹き出し口
２０２：測温計
２０３：測温計
２０４：目標温度設定器
２０５：制御器。
２１３：脱臭剤カートリッジ
Ｔ１、Ｔ２：測定温度
Ｔ０：目標温度
２０６：ＯＮ−ＯＦＦスイッチ
３００：操作装置
【図１】
0003226738.tif 000003
【図２】
0003226738.tif 000004
(57)【要約】      （修正有）【課題】握力が弱ってペットボトル飲料のキャップが開けづらい人でも、簡単にペットボトルの開閉ができ、また、ペットボトルの保温・保冷効果、結露の防止ができるハンカチを提供する。【解決手段】ハンカチ中央部分両面に滑り止め樹脂シートを縫い付け又は接着させて付設する。縫い付けは樹脂シートが伸びないように格子状又は同じ効果をもたらすように縫い付ける。ハンカチの一辺中央部分に輪ゴムを固定して飲料用ペットボトルの為の多機能ハンカチを構成するのものである。【選択図】図１
0003226763.tif 000002
【実用新案登録請求の範囲】
【請求項１】
ハンカチの中央部分に滑り止めの樹脂シートを縫い付け又は接着したことを特徴とするすべり止め機能付ハンカチ
【請求項２】
中央部分の樹脂シートは直径１０〜１５ｃｍほどの花型からなる滑り止め機能付ハンカチ。
【請求項３】
ハンカチの一辺中央部分に輪ゴムが付設されていてペットボトルの保温（保冷）・結露防止機能が付いたハンカチ
【考案の詳細な説明】
【技術分野】
【０００１】本考案は、滑り止め機能を付与したハンカチに係り、更に詳しくは握力が弱ってペットボトル飲料のキャップをあけるのが困難な人にとっても特別な補助具を使用することなく楽にキャップを開ける事ができるハンカチに関するものである。【０００２】本考案はペットボトルの保温（保冷）と結露予防に関するものである。
【背景技術】
【０００３】本考案はペットボトルのキャップ等を開閉することを目的としてハンカチの中央部分に滑り止め樹脂シートを縫い付け又は接着させるものである。従って滑り止め樹脂シートは摩擦抵抗の大きいものが対象となる。【０００４】本考案はボトルの保温と結露予防を目的として、ハンカチをボトルに巻き付ける為の輪ゴムを付着させるものである。
【考案が解決しようとする課題】
【０００５】本考案が解決しようとする問題点は、握力が弱ってペットボトルのキャップが開けにくい人でも簡単にキャップを開けることができるすべり止めのついたハンカチの提供を課題とする。
本考案はボトル内の飲料の保温と結露予防ができるハンカチの提供を課題とする。
【課題を解決するための手段】
【０００６】上記課題を達成する為に、本考案は、ハンカチ中央部分両面に滑り止めの樹脂シートを縫い付け又は接着したハンカチを構成するものである。また本考案はハンカチの一辺中央部分に輪ゴムを固定し構成するものである。
【考案の効果】
【０００７】本考案のハンカチは中央部分に滑り止め機能を付与させているので、キャップにハンカチを被せ上からねじ開けると簡単にキャップをあける事ができる。
【０００８】本考案は付設した輪ゴムでハンカチを巻き付けたボトルを固定するとハンカチと樹脂シートで保温（保冷）・結露防止効果があるハンカチをとなっている。
【０００９】本考案のハンカチは滑り止め樹脂シートを花模様や水玉模様肉球型が浮き出る配色にすると可愛いハンカチとなる。
【図面の簡単な説明】
【００１０】ハンカチ中央部分両面に滑り止め樹脂を縫い付け又は接着させ、ハンカチの一辺中央に輪ゴムを固定させている。
【図２】
【考案を実施するための形態】
【００１１】ハンカチのは正方形が望ましく保温効果と吸湿性のある素材である。
【００１２】輪ゴムはゴムの周囲がウーリーナイロンで覆われていて５長さ１５ｃｍ程度、ゴムの太さは３ｍｍから５ｍｍ程度の太さでボトルを止めるために適した伸縮性がある。
【００１３】滑り止め樹脂シートはボトルを掴むのに適した薄さ滑り止め効果があるもので洗濯に耐えうるものである。
【００１４】滑り止め樹脂シートは直径１０〜１５ｃｍの円形・花形・肉球型などである
【実施例１】図１は本考案の飲料用ペットボトルの為の多機能ハンカチでキャップを開けている様子、図２．３は  飲料用ペットボトルの為の多機能ハンカチをボトルに巻き付けた状態を描写した図である【００１５】
【産業上の利用の可能性】
【００１６】本校案の飲料用ペットボトルの為の多機能ハンカチはペットボトルの開閉をはじめ台所の布巾での瓶の開閉などに応用でき特に握力の弱い人にとって好適なものである。
【符号の説明】１
２
３
【図１】
0003226763.tif 000003
【図２】
0003226763.tif 000004
【図３】
0003226763.tif 000005
【図４】
0003226763.tif 000006
【図５】
0003226763.tif 000007
【手続補正書】
【提出日】平成30年7月2日(2018.7.2)
【手続補正２】
【補正対象書類名】明細書
【補正対象項目名】００１０
【補正方法】変更
【補正の内容】
【００１０】
【図１】キャップが当たる中央部分に滑り止め樹脂が縫い付けてあり、ハンカチの一辺にボトルに巻き付ける為の輪ゴムが縫い付けてあることを表す図である。
【図２】図１を裏側から見たところを表す図である。
【図３】ハンカチの中央部分（滑り止め樹脂の縫い付けてある）にキャップ当ててボトルを握っている様子を表す図である。
【図４】ボトルにハンカチを巻き付ける為の輪ゴムを巻きつけた様子を表す図である。
【図５】図４を裏側から見た様子を表す図である。